(57)【要約】  制御メッセージを送信するための技法が説明される。一態様では、割当てメッセージは、リンクされたまたは専用の肯定応答（ＡＣＫ）リソースに基づいて肯定応答される。端末は、基地局から割当てメッセージを受信し、割当てメッセージに肯定応答すべきかどうかを判定し、割当てメッセージに肯定応答するために使用すべき肯定応答リソースを決定する。ＡＣＫリソースは、割当てメッセージが受信された制御ブロックにリンクさせるか、割当てメッセージによって与えられたリソースにリンクさせるか、または端末に割り当てる。端末はＡＣＫリソース上で肯定応答を送信する。別の態様では、制御メッセージまたは制御ブロックに基づいて決定されたＡＣＫリソースに基づいて制御メッセージに肯定応答する。ＡＣＫリソースは、制御メッセージによって割り当てられたリソースにリンクさせるか、または制御メッセージにリンクさせる。端末はＡＣＫリソース上で制御メッセージに対する肯定応答を送信する。【選択図】    図２Ａ
2010512122.tif 000002
【特許請求の範囲】
【請求項１】
基地局から端末に対する割当てメッセージを受信し、前記割当てメッセージに肯定応答すべきかどうかを判定し、前記割当てメッセージに肯定応答すべき場合、前記割当てメッセージに肯定応答するために使用すべき肯定応答（ＡＣＫ）リソースを決定するように構成された少なくとも１つのプロセッサと、
前記少なくとも１つのプロセッサに結合されたメモリと、
を備える無線通信のための装置。
【請求項２】
前記少なくとも１つのプロセッサは、前記割当てメッセージが受信された制御ブロックに基づいて前記割当てメッセージに肯定応答すべきかどうかを判定するように構成された、請求項１に記載の装置。
【請求項３】
前記少なくとも１つのプロセッサは、前記割当てメッセージのタイプに基づいて前記割当てメッセージに肯定応答すべきかどうかを判定するように構成された、請求項１に記載の装置。
【請求項４】
前記少なくとも１つのプロセッサは、少なくとも１つのデータパケットに肯定応答すべきかどうかと、肯定応答の送信に利用可能なＡＣＫリソースの量とに基づいて、前記割当てメッセージに肯定応答すべきかどうかを判定するように構成された、請求項１に記載の装置。
【請求項５】
前記少なくとも１つのプロセッサは、前記割当てメッセージによって割り当てられたリソースの量に基づいて前記割当てメッセージに肯定応答すべきかどうかを判定するように構成された、請求項１に記載の装置。
【請求項６】
前記少なくとも１つのプロセッサは、前記割当てメッセージが受信された制御ブロックにリンクされたＡＣＫリソース上で前記割当てメッセージに対する肯定応答を送信するように構成された、請求項１に記載の装置。
【請求項７】
前記少なくとも１つのプロセッサは、前記割当てメッセージによって割り当てられたリソースにリンクされたＡＣＫリソース上で前記割当てメッセージに対する肯定応答を送信するように構成された、請求項１に記載の装置。
【請求項８】
前記少なくとも１つのプロセッサは、前記端末に割り当てられたＡＣＫリソース上で肯定応答を送信するように構成された、請求項１に記載の装置。
【請求項９】
基地局から端末に対する割当てメッセージを受信することと、
前記割当てメッセージに肯定応答すべきかどうかを判定することと、
前記割当てメッセージに肯定応答すべき場合、前記割当てメッセージに肯定応答するために使用すべき肯定応答（ＡＣＫ）リソースを決定することと、
を備える無線通信のための方法。
【請求項１０】
前記割当てメッセージに肯定応答すべきかどうかを判定することは、前記割当てメッセージが受信された制御ブロックに基づいて前記割当てメッセージに肯定応答すべきかどうかを判定することを備える、請求項９に記載の方法。
【請求項１１】
前記割当てメッセージが受信された制御ブロックにリンクされたＡＣＫリソース上で前記割当てメッセージに対する肯定応答を送信することをさらに備える、請求項９に記載の方法。
【請求項１２】
基地局から端末に対する割当てメッセージを受信するための手段と、
前記割当てメッセージに肯定応答すべきかどうかを判定するための手段と、
前記割当てメッセージに肯定応答すべき場合、前記割当てメッセージに肯定応答するために使用すべき肯定応答（ＡＣＫ）リソースを決定するための手段と、
を備える無線通信用の装置。
【請求項１３】
前記割当てメッセージに肯定応答すべきかどうかを判定するための手段は、前記割当てメッセージが受信された制御ブロックに基づいて前記割当てメッセージに肯定応答すべきかどうかを判定するための手段を備える、請求項１２に記載の装置。
【請求項１４】
前記割当てメッセージが受信された制御ブロックにリンクされたＡＣＫリソース上で前記割当てメッセージに対する肯定応答を送信するための手段をさらに備える、請求項１２に記載の装置。
【請求項１５】
コンピュータ可読媒体を備えるコンピュータプログラム製品であって、前記コンピュータ可読媒体は、
少なくとも１つのコンピュータに基地局から端末に対する割当てメッセージを受信させるコードと、
前記少なくとも１つのコンピュータに前記割当てメッセージに肯定応答すべきかどうかを判定させるコードと、
前記割当てメッセージに肯定応答すべき場合、前記少なくとも１つのコンピュータに前記割当てメッセージに肯定応答するために使用すべき肯定応答（ＡＣＫ）リソースを決定させるコードと
を備えるコンピュータプログラム製品。
【請求項１６】
端末に割当てメッセージを送信し、前記割当てメッセージに対する肯定応答を送信するために指定された肯定応答（ＡＣＫ）リソース上で前記肯定応答を受信するように構成された少なくとも１つのプロセッサと、
前記少なくとも１つのプロセッサに結合されたメモリと、
を備える無線通信用の装置。
【請求項１７】
前記少なくとも１つのプロセッサは、制御ブロック上で前記端末に前記割当てメッセージを送信し、前記制御ブロックにリンクされたＡＣＫリソース上で前記肯定応答を受信するように構成された、請求項１６に記載の装置。
【請求項１８】
前記少なくとも１つのプロセッサは、前記割当てメッセージによって割り当てられたリソースにリンクされたＡＣＫリソース上で前記肯定応答を受信するように構成された、請求項１６に記載の装置。
【請求項１９】
前記少なくとも１つのプロセッサは、前記端末に割り当てられたＡＣＫリソース上で前記肯定応答を受信するように構成された、請求項１６に記載の装置。
【請求項２０】
制御ブロック上で制御メッセージを受信し、前記制御メッセージまたは前記制御ブロックに基づいて肯定応答（ＡＣＫ）リソースを決定し、前記ＡＣＫリソース上で前記制御メッセージに対する肯定応答を送信するように構成された少なくとも１つのプロセッサと、
前記少なくとも１つのプロセッサに結合されたメモリと、
を備える無線通信用の装置。
【請求項２１】
前記少なくとも１つのプロセッサは前記制御ブロックに基づいて前記ＡＣＫリソースを決定するように構成され、前記ＡＣＫリソースは前記制御ブロックにリンクされる、請求項２０に記載の装置。
【請求項２２】
前記制御メッセージは割当てメッセージであり、前記少なくとも１つのプロセッサは、前記割当てメッセージによって割り当てられたリソースを決定し、前記割り当てられたリソースに基づいて前記ＡＣＫリソースを決定するように構成され、前記ＡＣＫリソースは前記割り当てられたリソースにリンクされる、請求項２０に記載の装置。
【請求項２３】
前記少なくとも１つのプロセッサは、前記制御ブロックが肯定応答を送信すべき制御ブロックのグループの１つである場合に前記肯定応答を送信するように構成された、請求項２０に記載の装置。
【請求項２４】
前記少なくとも１つのプロセッサは、前記制御メッセージが割当てメッセージである場合に前記肯定応答を送信するように構成された、請求項２０に記載の装置。
【請求項２５】
前記少なくとも１つのプロセッサは、前記制御メッセージが肯定応答を送信すべきタイプである場合に前記肯定応答を送信するように構成された、請求項２０に記載の装置。
【請求項２６】
前記少なくとも１つのプロセッサは、肯定応答すべき制御メッセージを送信するために基地局によって使用される少なくとも１つの第１の制御ブロックを監視し、前記制御ブロックが前記少なくとも１つの第１の制御ブロックの１つである場合、前記制御メッセージに対する前記肯定応答を送信するように構成された、請求項２０に記載の装置。
【請求項２７】
前記少なくとも１つのプロセッサは、肯定応答すべきでない制御メッセージを送信するために前記基地局によって使用される少なくとも１つの第２の制御ブロックを監視し、前記制御ブロックが前記少なくとも１つの第２の制御ブロックの１つである場合、前記制御メッセージに対する肯定応答を送信しないように構成された、請求項２６に記載の装置。
【請求項２８】
制御ブロック上で制御メッセージを受信することと、
前記制御メッセージまたは前記制御ブロックに基づいて肯定応答（ＡＣＫ）リソースを決定することと、
前記ＡＣＫリソース上で前記制御メッセージに対する肯定応答を送信することと、
を備える無線通信のための方法。
【請求項２９】
前記ＡＣＫリソースの前記決定は、前記制御ブロックに基づいて前記ＡＣＫリソースを決定することを備え、前記ＡＣＫリソースは前記制御ブロックにリンクされる、請求項２８に記載の方法。
【請求項３０】
前記肯定応答の前記送信は、前記制御ブロックが肯定応答を送信すべき制御ブロックのグループの１つである場合、前記肯定応答を送信することを備える、請求項２８に記載の方法。
【請求項３１】
肯定応答すべき制御メッセージを送信するために基地局によって使用される少なくとも１つの第１の制御ブロックを監視することと、
前記制御ブロックが前記少なくとも１つの第１の制御ブロックの１つである場合、前記制御メッセージに対する前記肯定応答を送信することと、
をさらに備える、請求項２８に記載の方法。
【請求項３２】
肯定応答すべきでない制御メッセージを送信するために前記基地局によって使用される少なくとも１つの第２の制御ブロックを監視することと、
前記制御ブロックが前記少なくとも１つの第２の制御ブロックの１つである場合、前記制御メッセージに対する肯定応答を送信しないことと、
をさらに備える、請求項３１に記載の方法。
【請求項３３】
制御ブロック上で制御メッセージを受信するための手段と、
前記制御メッセージまたは前記制御ブロックに基づいて肯定応答（ＡＣＫ）リソースを決定するための手段と、
前記ＡＣＫリソース上で前記制御メッセージに対する肯定応答を送信する手段と、
を備える無線通信用の装置。
【請求項３４】
前記ＡＣＫリソースを決定するための前記手段は、前記制御ブロックに基づいて前記ＡＣＫリソースを決定するための手段を備え、前記ＡＣＫリソースは前記制御ブロックにリンクされる、請求項３３に記載の装置。
【請求項３５】
前記肯定応答を送信するための前記手段は、前記制御ブロックが肯定応答を送信すべき制御ブロックのグループの１つである場合に前記肯定応答を送信するための手段を備える、請求項３３に記載の装置。
【請求項３６】
肯定応答すべき制御メッセージを送信するために基地局によって使用される少なくとも１つの第１の制御ブロックを監視するための手段と、
前記制御ブロックが前記少なくとも１つの第１の制御ブロックの１つである場合に前記制御メッセージに対する前記肯定応答を送信するための手段と、
をさらに備える、請求項３３に記載の装置。
【請求項３７】
肯定応答すべきでない制御メッセージを送信するために前記基地局によって使用される少なくとも１つの第２の制御ブロックを監視するための手段と、
前記制御ブロックが前記少なくとも１つの第２の制御ブロックの１つである場合に前記制御メッセージに対する肯定応答を送信しないための手段と、
をさらに備える、請求項３６に記載の装置。
【請求項３８】
コンピュータ可読媒体を備えるコンピュータプログラム製品であって、前記コンピュータ可読媒体は、
少なくとも１つのコンピュータに制御ブロック上で制御メッセージを受信させるコードと、
前記少なくとも１つのコンピュータに前記制御メッセージまたは前記制御ブロックに基づいて肯定応答（ＡＣＫ）リソースを決定させるコードと、
前記少なくとも１つのコンピュータに前記ＡＣＫリソース上で前記制御メッセージに対する肯定応答を送信させるコードと、
を備えるコンピュータプログラム製品。
【請求項３９】
制御ブロック上で制御メッセージを送信し、前記制御メッセージまたは前記制御ブロックに基づいて決定された肯定応答（ＡＣＫ）リソース上で前記制御メッセージに対する肯定応答を受信するように構成された少なくとも１つのプロセッサと、
前記少なくとも１つのプロセッサに結合されたメモリと、
を備える無線通信用の装置。
【請求項４０】
前記少なくとも１つのプロセッサは、ＡＣＫリソースにリンクされた少なくとも１つの第１の制御ブロック上で制御メッセージを送信し、前記リンクされたＡＣＫリソースを介して前記少なくとも１つの第１の制御ブロック上で送信された制御メッセージに対する肯定応答を受信するように構成された、請求項３９に記載の装置。
【請求項４１】
前記少なくとも１つのプロセッサは、ＡＣＫリソースにリンクされない少なくとも１つの第２の制御ブロック上で制御メッセージを送信し、前記少なくとも１つの第２の制御ブロック上で送信された前記制御メッセージに対する肯定応答を受信しないように構成された、請求項４０に記載の装置。
【発明の詳細な説明】
【関連出願】
【０００１】
本出願は、本出願の譲受人に譲渡され、その全体が参照により本明細書に組み込まれる２００６年１２月４日に出願された「ＡＳＳＩＧＮＭＥＮＴ  ＡＣＫＮＯＷＬＥＤＧＥＭＥＮＴ  ＦＯＲ  Ａ  ＷＩＲＥＬＥＳＳ  ＣＯＭＭＵＮＩＣＡＴＩＯＮ  ＳＹＳＴＥＭ」と題する米国仮出願第６０／８６８，４６４号の優先権を主張する。
【技術分野】
【０００２】
本開示は、一般に通信に関し、より詳細には、制御メッセージを送信するための技法に関する。
【背景技術】
【０００３】
音声、映像、パケットデータ、メッセージング、放送などの様々な通信サービスを提供するために無線通信システムが広く展開されている。これらの無線システムは、利用可能なシステムリソースを共有することによって複数のユーザに対する通信をサポートすることが可能な多元接続システムである。そのような多元接続システムの例には、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、単一搬送波ＦＤＭＡ（ＳＣ−ＦＤＭＡ）システムなどがある。
【０００４】
多元接続システムは一般に、システムの個々のユーザにシステムリソースを割り当てる方法を使用する。割当てを送信するためのオーバヘッドの量を低減するために、リソースの割当てをできる限り効率的に送信することが望ましい。さらに、割り当てられたリソースがデータ伝送に適切に使用されるように、割当てを信頼できる方法で送信することが望ましい。決定的な満了時間を有するのではなく、時間を超える永続的な割当てのために、信頼性が特に重要である。
【０００５】
したがって、リソースの割当てを効率的かつ確実に送信するための技法が当技術分野において必要とされている。
【発明の概要】
【０００６】
リソース割当て用のメッセージなどの制御メッセージを効率的かつ確実に送信するための技法について本明細書で説明する。一態様では、リンクされたまたは専用の肯定応答（ＡＣＫ）リソースに基づいて、割当てメッセージに肯定応答する。ある設計では、端末は、基地局から割当てメッセージを受信し、割当てメッセージに肯定応答すべきかどうかを決定する。たとえば、肯定応答すべき制御ブロック上で割当てメッセージが受信された場合、割当てメッセージに肯定応答する。制御ブロックは、物理リソースにマッピングできる論理リソースである。割当てメッセージに肯定応答すべき場合、端末は、割当てメッセージに肯定応答するために使用すべきＡＣＫリソースを決定する。ＡＣＫリソースは、割当てメッセージが受信された制御ブロックにリンクされるか、または割当てメッセージによって割り当てられたリソースにリンクされる。ＡＣＫリソースは、また、以前に端末に割り当てられた専用ＡＣＫリソースでもよい。端末は、リンクされたまたは専用のＡＣＫリソース上で肯定応答を送信する。
【０００７】
別の態様では、制御メッセージまたは制御メッセージが送信される制御ブロックに基づいて決定されたＡＣＫリソースに基づいて、制御メッセージに肯定応答する。ある設計では、制御メッセージを送信するためにいくつかの制御ブロックが利用可能である。いくつかの制御ブロック上で送信される制御メッセージに対する肯定応答を送信するために使用できるＡＣＫリソースに、これらの制御ブロックがリンクされる。端末は制御メッセージまたは制御ブロックに基づいてＡＣＫリソースを決定する。ＡＣＫリソースは、制御ブロックにリンクされるか、または制御メッセージによって割り当てられたリソースにリンクされる。端末はＡＣＫリソース上で制御メッセージに対する肯定応答を送信する。
【０００８】
以下に本開示の様々な態様および特徴がさらに詳細に説明される。
【図面の簡単な説明】
【０００９】
【図１】図１は無線通信システムを示す図である。
【図２Ａ】図２ＡはリンクされたＡＣＫリソースを示す図である。
【図２Ｂ】図２ＢはリンクされたＡＣＫリソースを示す図である。
【図２Ｃ】図２Ｃは専用ＡＣＫリソースを示す図である。
【図３】図３はＡＣＫリソースの設計を示す図である。
【図４】図４はＡＣＫチャネルの設計を示す図である。
【図５】図５はバイナリチャネルツリーの設計を示す図である。
【図６】図６は割当てメッセージに肯定応答するためのプロセスを示す図である。
【図７】図７は割当てメッセージに肯定応答するための装置を示す図である。
【図８】図８は割当てメッセージを送信するためのプロセスを示す図である。
【図９】図９は割当てメッセージを送信するための装置を示す図である。
【図１０】図１０は制御メッセージに肯定応答するためのプロセスを示す図である。
【図１１】図１１は制御メッセージに肯定応答するための装置を示す図である。
【図１２】図１２は制御メッセージを送信するためのプロセスを示す図である。
【図１３】図１３は制御メッセージを送信するための装置を示す図である。
【図１４】図１４は基地局および端末を示すブロック図である。
【発明の詳細な説明】
【００１０】
図１は複数の基地局１１０および複数の端末１２０をもつ無線通信システム１００を示す。基地局は端末と通信する局である。基地局は、アクセスポイント、ノードＢ、または発展型ノードＢなどとも呼ばれる。各基地局１１０は特定の地理的エリア１０２に通信カバレージを提供する。「セル」という用語は、この用語が使用されるコンテキストに応じて基地局および／またはそのカバレージエリアを指す。システム容量を増強するために、基地局カバレージエリアは複数のより小さいエリア、たとえば３つのより小さいエリア１０４ａ、１０４ｂ、および１０４ｃに分割される。より小さい各エリアは、それぞれの基地局サブシステムによって受け持たれる。「セクタ」という用語は、基地局の最小カバレージエリア、および／またはこのカバレージエリアを受け持つ基地局サブシステムの最小カバレージエリアを指す。本明細書に記載の技法は、セクタ化されたセルを有するシステムならびにセクタ化されないセルを有するシステムに使用することができる。分かりやすいように、以下の説明では、「基地局」という用語は、セクタを受け持つ局ならびにセルを受け持つ局に対して総称的に使用される。
【００１１】
端末１２０はシステム全体に散在してもよく、各端末は固定でも移動でもよい。端末はまた、アクセス端末、移動局、ユーザ機器、加入者ユニット、局などとも呼ばれる。端末は、携帯電話、携帯情報端末（ＰＤＡ）、無線通信デバイス、無線モデムカード、携帯用デバイス、ラップトップコンピュータ、コードレスホンなどである。端末は、いかなる瞬間においても、順方向リンクおよび逆方向リンク上のゼロ、１つ、または複数の基地局と通信することができる。順方向リンク（またはダウンリンク）とは、基地局から端末への通信リンクを指し、逆方向リンク（またはアップリンク）とは、端末から基地局への通信リンクを指す。
【００１２】
集中型アーキテクチャの場合、システムコントローラ１３０が基地局１１０に結合し、これらの基地局の調整および制御を行う。システムコントローラ１３０は単一のネットワークエンティティまたは複数のネットワークエンティティの集合である。分散アーキテクチャの場合、基地局は必要に応じて互いに通信する。
【００１３】
本明細書に記載の技法は、ＣＤＭＡ、ＴＤＭＡ、ＦＤＭＡ、ＯＦＤＭＡ、およびＳＣ−ＦＤＭＡシステムなどの様々な無線通信システムに使用できる。「システム」および「ネットワーク」という用語は、しばしば互換的に使用される。ＣＤＭＡシステムは、ｃｄｍａ２０００やユニバーサル地上無線アクセス（ＵＴＲＡ）などの無線技術を実装することができる。ＯＦＤＭＡシステムは、ウルトラモバイルブロードバンド（ＵＭＢ）、Ｅｖｏｌｖｅｄ  ＵＴＲＡ（Ｅ−ＵＴＲＡ）、ＩＥＥＥ８０２．１６、ＩＥＥＥ８０２．２０、Ｆｌａｓｈ−ＯＦＤＭ（登録商標）などの無線技術を実装することができる。ＵＴＲＡおよびＥ−ＵＴＲＡは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。これらの様々な無線技術および標準は、当技術分野で知られている。分かりやすいように、以下では、これらの技法のいくつかの態様をＵＭＢに関して説明し、以下の説明の大半でＵＭＢの用語を使用する。ＵＭＢは、どちらも２００７年８月付けの、公的に入手可能な「Ｐｈｙｓｉｃａｌ  Ｌａｙｅｒ  ｆｏｒ  Ｕｌｔｒａ  Ｍｏｂｉｌｅ  Ｂｒｏａｄｂａｎｄ  （ＵＭＢ）  Ａｉｒ  Ｉｎｔｅｒｆａｃｅ  Ｓｐｅｃｉｆｉｃａｔｉｏｎ」という名称の３ＧＰＰ２  Ｃ．Ｓ００８４−００１および「Ｍｅｄｉｕｍ  Ａｃｃｅｓｓ  Ｃｏｎｔｒｏｌ  Ｌａｙｅｒ  Ｆｏｒ  Ｕｌｔｒａ  Ｍｏｂｉｌｅ  Ｂｒｏａｄｂａｎｄ  （ＵＭＢ）  Ａｉｒ  Ｉｎｔｅｒｆａｃｅ  Ｓｐｅｃｉｆｉｃａｔｉｏｎ」という名称の３ＧＰＰ２  Ｃ．Ｓ００８４−００２に記載されている。
【００１４】
システム１００は、順方向リンクおよび逆方向リンク上でトラフィックデータおよび制御情報を伝送するために、様々なチャネルを使用する。表１に、ＵＭＢのいくつかのチャネルをリストし、各チャネルについて短い説明を示す。ＵＭＢは順方向リンクおよび逆方向リンク上の様々な他のチャネルもサポートしているが、分かりやすいように表１には示していない。
【表１】
2010512122.tif 000003
【００１５】
基地局は、様々な目的で端末に制御メッセージを送信する。たとえば、基地局は、順方向および／または逆方向リンク用のリソースの割当て、順方向および／または逆方向リンク上でのデータ伝送用の制御情報などを含む制御メッセージを送信する。できる限り効率的かつ確実に制御メッセージを送信することが望ましい。
【００１６】
一態様では、制御メッセージは、これらの制御メッセージに肯定応答するために使用されるＡＣＫリソースにリンクされた制御ブロック上で送信される。制御メッセージは、メッセージ、パケット、シグナリングなどと呼ばれることもある。制御ブロックは、制御メッセージを送信するために使用される論理リソースであり、制御チャネルブロック、Ｆ−ＳＣＣＨブロックなどとも呼ばれる。制御メッセージは、処理（たとえば、符号化、インタリーブ、および変調）され、制御ブロック上で送信される。制御ブロックは、時間、周波数、符号などによって与えられる物理リソースにマッピングされる。制御ブロックにリンクされたＡＣＫリソースは、制御ブロック上で送信された制御メッセージに対する肯定応答を送信するために予約された、いくつかの物理リソースに対応する。
【００１７】
図２Ａに、リンクされたＡＣＫリソースを使用して、制御メッセージに対する肯定応答を送信する設計を示す。この設計では、複数（Ｔ）個の制御メッセージが処理され、順方向リンク上のＴ個の制御ブロック上で送信される。Ｔは、送信すべき制御メッセージの予想される数、制御ブロック用に予約すべきリソースの量などの様々な要因に基づいて選択される。Ｔ個の制御ブロックのすべてまたは１つのサブセットがＡＣＫリソースにリンクされる。図２Ａに示す設計では、、最初のＬ個の制御ブロック１からＬは、それぞれＡＣＫリソース１からＬにリンクされ、残りのＴ−Ｌ個の制御ブロックはＡＣＫリソースにリンクされない。ここで、一般にＬ≦Ｔである。ｌ∈｛１，．．．，Ｌ｝である制御ブロックｌ上で送信される制御メッセージの場合、制御ブロックｌにリンクされたＡＣＫリソースｌ上でメッセージに対する肯定応答を送信する。最初のＬ個の制御ブロック上で送信された制御メッセージは、それらのリンクされたＡＣＫリソースを介して肯定応答される。残りのＴ−Ｌ個の制御ブロック上で送信されたメッセージは、リンクされたＡＣＫリソースを介して肯定応答されない。
【００１８】
ある設計では、Ｔ個の利用可能な制御ブロックが、共通制御ブロックと共有／マルチキャスト制御ブロックとに分割される。共通制御ブロックは、すべての端末によって監視される。共有制御ブロックはさらにグループに分けられ、複数の端末が各グループに割り当てられる。各端末は制御ブロックの特定のグループを割り当てられ、次いでそのグループ内の共有制御ブロックならびに共通制御ブロックを監視する。この設計は、統計的多重化利得によって利用可能な制御ブロックの利用率を向上すると同時に、各端末が監視する制御ブロックの数を低減することができる。ある設計では、共通制御ブロックはＡＣＫリソースにリンクされるが、共有制御ブロックはＡＣＫリソースにリンクされない。別の設計では、共通制御ブロックのサブセットのみがＡＣＫリソースにリンクされる。共通制御ブロックはすべての端末によって監視されるので、これらの設計は、リンクされたＡＣＫリソースがすべての端末によって共有されることを可能にする。一般に、任意の数の制御ブロックおよび任意の利用可能な制御ブロックがＡＣＫリソースにリンクできる。ＡＣＫリソースにリンクされた制御ブロックの識別情報は、ブロードキャスト情報を介しておよび／または他の手段によって端末に伝達される。
【００１９】
一般に、制御ブロックは、特定の端末へのユニキャストメッセージの送信、端末のグループへのマルチキャストメッセージの送信、またはすべての端末へのブロードキャストメッセージの送信のために使用される。最初のＬ個の制御ブロックは、重要と考えられ、それに対して肯定応答が望まれるメッセージを送信するために使用される。残りの制御ブロックは、肯定応答なしで済ませることができるメッセージを送信するために使用される。Ｌは、それに対して肯定応答が望まれるメッセージの予想される数、予約すべきＡＣＫリソースの量などの様々な要因に基づいて選択される。割当てメッセージ、アクセス許可、リソース管理および／または他の機能に関するメッセージなど、様々なタイプのメッセージを制御ブロック上で送信することができる。
【００２０】
表２は、制御ブロック上で送信することができるいくつかの割当てメッセージをリストし、各割当てメッセージについての簡単な説明を与える。一般に、割当てメッセージは、（ｉ）順方向リンクリソースおよび／または逆方向リンクリソースの割当て、（ｉｉ）リソースの新規割当て、追加リソースの増分／補足割当て、または以前に割り当てたリソースの減分割当て（割当て解除）などのためのものである。ある設計では、割当てメッセージは補足ビット(supplemental bit)を含み、補足ビットは、メッセージが新規割当て用であることを示すために「０」に設定するか、またはメッセージが増分割当てまたは減分割当て用であることを示すために「１」に設定される。メッセージによって割り当てられたリソースが、端末に現在割り当てられているリソースより多い場合、端末は、割当てメッセージが増分割当て用であると決定することができる。メッセージによって割り当てられたリソースが、現在割り当てられているリソースより少ない場合、端末は、割当てメッセージが減分割当て用であると決定することができる。
【表２】
2010512122.tif 000004
【００２１】
図２Ｂに、割当てリソースにリンクされたＡＣＫリソースを使用して、割当てメッセージに対する肯定応答を送信する設計を示す。この設計では、端末に対する割当てメッセージが制御ブロック上で送信される。割当てメッセージは、端末に割り当てられた順方向リンクリソースを伝達する。割り当てられた順方向リンクリソースはＡＣＫリソースにリンクされる。端末は、割当てメッセージを受信し、割り当てられた順方向リンクリソースを決定し、割り当てられた順方向リンクリソースにリンクされたＡＣＫリソース上で割当てメッセージに対する肯定応答を送信する。図２Ｂに示す設計は、たとえば、表２に示す割当てメッセージのすべてまたはサブセットに対してなど、任意のタイプの割当てメッセージに使用できる。
【００２２】
図２Ｃは、専用ＡＣＫリソースを使用して、割当てメッセージに対する肯定応答を送信する設計を示す。この設計では、端末に対する割当てメッセージが制御ブロック上で送信される。割当てメッセージは、端末に割り当てられた順方向リンクリソースを伝達する。端末は、割当てメッセージを受信し、割り当てられた順方向リンクリソースを決定し、端末に以前に割り当てられたＡＣＫリソース上で割当てメッセージに対する肯定応答を送信する。たとえば、順方向リンク上で送信されるトラフィックデータに肯定応答するためのいくつかのＡＣＫリソースを端末に割り当て、割り当てられたＡＣＫリソースを使用して割当てメッセージに対する肯定応答を送信する。図２Ｃに示す設計は、たとえば、表２に示す割当てメッセージのすべてまたはサブセットに対してなど、任意のタイプの割当てメッセージに使用できる。
【００２３】
図２Ａから図２Ｃは、割当てメッセージに対する肯定応答を送信する３つの設計を示している。割当て信頼性を向上させ、スケジューリングを改善し、損失パケットまたは復号されないパケットを低減し、および／または他の利益を得るために、割当てメッセージに肯定応答することが望ましい。さらに、割当てメッセージに肯定応答することによって、送信すべき割当ての数が減少し、順方向リンク上での他の伝送に対して利用可能なリソースおよび／または電力配分が増大する。
【００２４】
図２Ａから図２Ｃの設計は、効率的な割当てを可能にし、基地局によって送信された割当てメッセージに肯定応答するためにＡＣＫリソースの使用を可能にする。ＡＣＫリソースは、割当てメッセージを送信するために使用される制御ブロックに（たとえば、図２Ａに示すように）リンクされるか、または割り当てられた順方向リンクリソースに（たとえば、図２Ｂに示すように）リンクされる。ＡＣＫリソースはまた、（たとえば、図２Ｃに示すように）端末の専用ＡＣＫリソースでもよい。
【００２５】
端末は、その専用ＡＣＫリソースを使用して、順方向リンクデータに対する肯定応答（またはデータＡＣＫ）、割当てメッセージに対する肯定応答（または割当てＡＣＫ）、および／または端末に送信された他のメッセージまたは伝送に対する肯定応答を送信する。データＡＣＫおよび／または割当てＡＣＫに対する専用ＡＣＫリソースの使用は、たとえば、端末の専用ＡＣＫリソースの量、受信された割当てメッセージのタイプ、データが順方向リンクデータ上で受信されるかどうかなど、様々な要因によって制御される。たとえば、順方向リンクデータと割当てメッセージの両方が受信された場合、肯定応答は、順方向リンクデータに対してのみ、または割当てメッセージに対してのみ、または順方向リンクデータと割当てメッセージの両方に対して送信される。
【００２６】
システムは、順方向リンクおよび逆方向リンクの各々に、直交周波数分割多重（ＯＦＤＭ）、単一搬送波周波数分割多重（ＳＣ−ＦＤＭ）、および／またはいくつかの他の多重化方式を利用することができる。ＯＦＤＭおよびＳＣ−ＦＤＭは、システム帯域幅全体を、トーン、ビンなどとも呼ばれる複数（Ｋ）個の直交副搬送波に分割する。各副搬送波はデータで変調される。一般に、変調シンボルは、ＯＦＤＭでは周波数ドメインで、ＳＣ−ＦＤＭでは時間ドメインで送信される。
【００２７】
ある設計では、各リンク上の時間周波数リソースはタイル(tiles)に分割される。各タイルは所定の大きさの時間周波数ブロックである。順方向リンク上では、いくつかのタイルを制御ブロック用に使用し、制御メッセージがこれらのタイル上で処理され、送信される。逆方向リンク上では、ＡＣＫリソースは、いくつかのタイルの全部または一部を占有し、これらのタイルのＡＣＫ部分上で肯定応答が送信される。
【００２８】
制御メッセージ（たとえば、割当てメッセージ）は様々な方法で送信されうる。ある設計では、制御メッセージは個々のパケットとして処理される。制御メッセージは、巡回冗長検査（ＣＲＣ）が付加され、符号化され、インタリーブされ、必要に応じて繰り返えされ、変調シンボルにマッピングされる。変調シンボルは制御ブロックにマッピングされ、次いで１つまたは複数のタイルにマッピングされる。制御メッセージの処理は上述の３ＧＰＰ２  Ｃ．Ｓ００８４文書に詳細に説明されている。制御メッセージは他の方法で処理し、送信することもできる。
【００２９】
制御メッセージ（たとえば、割当てメッセージ）に対する肯定応答も様々な方法で送信することができる。図２Ａおよび図２Ｂに示す設計では、リンクされたＡＣＫリソースは、端末によるトラフィックデータへの肯定応答に使用されない、時間周波数リソースまたはシンボルに対応する。リンクされたＡＣＫリソースは、たとえば、順方向リンク上で送信されるブロードキャストメッセージ、システムパラメータ、呼準備中に交換されるシグナリングなどによって動的に割り振られ、伝達される。図２Ｃに示す設計では、専用ＡＣＫリソースは、端末に割り当てられ、または端末に割り当てられた順方向リンクリソースに関連付けられる。
【００３０】
ある設計では、Ｒ−ＡＣＫＣＨは、逆方向リンク上で利用可能なすべてのＡＣＫリソースを含む。利用可能なＡＣＫリソースの一部はＬ個の制御ブロック用のリンクされたＡＣＫリソースとして使用され、残りのＡＣＫリソースは端末に割り当てられる。
【００３１】
図３にＡＣＫリソースの設計を示す。ある設計では、タイルは、８つのシンボル周期において１６の副搬送波をカバーし、１２８の伝送ユニットを含む。伝送ユニットは、１つのシンボル周期における１つの副搬送波であり、実数値でも複素数値でもよい１つのシンボルを送信するために使用される。パイロットシンボルはタイル内の一部の伝送ユニット上で送信され、他のシンボルはタイル内の残りの伝送ユニット上で送信される。本明細書で使用される場合、データシンボルとは、トラフィックデータ用のシンボルであり、シグナリングシンボルとは、シグナリングまたは制御情報用のシンボルであり、パイロットシンボルとは、パイロット用のシンボルであり、パイロットとは基地局と端末との両方にアプリオリ(a priori)に知られているデータである。
【００３２】
Ｒ−ＡＣＫＣＨ用のＡＣＫリソースは逆方向リンク上の特定のタイルから取られる。一般に、タイルの全部または一部がＡＣＫリソース用に使用される。図３に示した設計では、ハーフタイルがＡＣＫリソース用に使用され、４つのサブタイルに分割される。ハーフタイルはＡＣＫセグメントとも呼ばれ、サブタイルはＡＣＫクラスタとも呼ばれる。ＡＣＫリソースに使用されるハーフタイルはタイルの下半分を占有し、８つのシンボル周期において８つの副搬送波をカバーする。各サブタイルは、２つの連続するシンボル周期において８つの副搬送波をカバーし、１６の伝送ユニットを含む。ＡＣＫリソースは他の方法で定義することもできる。
【００３３】
図４にＲ−ＡＣＫＣＨの設計を示す。逆方向リンク用のタイムラインはフレームに分割され、各フレームは所定の持続期間、たとえば８つのシンボル周期にわたる。利用可能な副搬送波はＳ個の重複しないセットに配列される。Ｓ個のタイルはＳ個の副搬送波セットとともに各フレームで定義される。Ｒ−ＡＣＫＣＨは各ＡＣＫフレームの１つまたは複数のＡＣＫタイルにマッピングされる。ＡＣＫタイルは、Ｒ−ＡＣＫＣＨがマッピングされるタイルであり、ＡＣＫフレームはＲ−ＡＣＫＣＨが送信されるフレームである。Ｒ−ＡＣＫＣＨは各ＡＣＫタイルの一部を穴あけ(puncture)する。
【００３４】
ＡＣＫタイルの数およびＲ−ＡＣＫＣＨ用のＡＣＫフレームの数は、システム帯域幅、データチャネルの数、肯定応答する順方向リンクデータの量、肯定応答すべき制御メッセージの予想される数などの様々な要因に依存する。ある設計では、ＡＣＫタイルの数はシステム帯域幅に依存する。たとえば、各ＡＣＫフレームは、５ＭＨｚ以下のシステム帯域幅では４つのＡＣＫタイル、１０ＭＨｚのシステム帯域幅では８つのＡＣＫタイル、２０ＭＨｚのシステム帯域幅では１６のＡＣＫタイルなどを含む。より少数またはより多数のＡＣＫタイルも、各ＡＣＫフレームのＲ−ＡＣＫＣＨに使用できる。
【００３５】
ある設計では、Ｒ−ＡＣＫＣＨに対して複数（Ｑ）個のＡＣＫ指標が定義される。各ＡＣＫ指標は、肯定応答を送信するために使用できるいくつかのＡＣＫリソースに関連付けられる。後述のように、端末に割り当てられた順方向リンクリソースがＡＣＫ指標に関連付けられる。肯定応答可能な制御ブロックもまた、ＡＣＫ指標に関連付けられる。一般に、端末に割り当てられた順方向リンクリソースおよび肯定応答可能な制御ブロックは、任意の既知のマッピングに基づいてＡＣＫリソースにマッピングされる。
【００３６】
Ｒ−ＡＣＫＣＨ用のＡＣＫリソースは逆方向リンク上のいくつかのタイルを占有し、これらのＡＣＫタイルは所定のマッピングに基づいて決定される。一般に、ＡＣＫタイルは疑似ランダム手法または決定論的手法で時間に関して変化する。Ｒ−ＡＣＫＣＨは、周波数および干渉ダイバーシティを達成するために、異なる副搬送波セットにマッピングされる。Ｒ−ＡＣＫＣＨはまた、逆方向リンク上のデータチャネルに対して疑似ランダムでもよく、これらのデータチャネルを等しく穴あけ(puncture)する。このことは、Ｒ−ＡＣＫＣＨをホッピングするか、データチャネルをホッピングするか、またはＲ−ＡＣＫＣＨとデータチャネルとの両方をホッピングすることによって達成できる。周波数ホッピングパターンは、各ＡＣＫフレームのＲ−ＡＣＫＣＨに使用する特定の（１つまたは複数の）タイルを示す。周波数ホッピングパターンは、端末に送信してもよく、または端末にアプリオリに知られてもよい。いずれの場合にも、端末は、Ｒ−ＡＣＫＣＨに使用される逆方向リンクリソースの知識を有する。
【００３７】
複数の端末は、符号分割多重（ＣＤＭ）、時間分割多重（ＴＤＭ）、周波数分割多重（ＦＤＭ）、何らかの他の多重化方式、またはそれらの組合せを使用して肯定応答を送信することができる。複数の端末は、任意の多重化方式を使用して、それらの肯定応答を同じサブタイルで送信することができる。
【００３８】
ある設計では、ＣＤＭを使用して肯定応答を送信する。この設計では、異なる端末からの肯定応答を異なる拡散符号で拡散し、これらの端末からの拡散された肯定応答は符号ドメインにおいて互いに直交する。拡散符号は、ウォルシュ符号、フーリエ行列の列を用いて形成された直交符号などである。端末からの１ビット肯定応答は、肯定応答用のＮ個の拡散チップ（spread chip）を得るために、肯定応答ビットをＮ回繰り返し、Ｎ回繰り返されたビットに拡散符号のＮ個のチップを乗算することによってＮチップ拡散符号で拡散される。ある設計では、１６個の拡散チップを得るために、１ビット肯定応答は１６チップ拡散符号で拡散される。１６個の拡散チップは１つのサブタイル内の１６個の伝送ユニットにマッピングされる。別の設計では、１６個の拡散チップを１６点高速フーリエ変換（ＦＦＴ）で変換して１６個のシンボルを得、次いで１６個のシンボルを１つのサブタイル内の１６個の伝送ユニットにマッピングする。いずれの場合にも、最高１６個の異なる端末が、異なる拡散符号を使用して、それらの肯定応答を同じサブタイルで送信し、最高６４個の異なる端末が、それらの肯定応答を１つのハーフタイルの４つのサブタイルで送信する。
【００３９】
ある設計では、肯定応答を送信するために、利用可能な拡散符号のサブセットを使用し、残りの拡散符号を干渉推定に使用する。たとえば、各サブタイルで肯定応答を送信するために８つの拡散符号を使用し、残りの８つの拡散符号を干渉推定に使用する。
【００４０】
ある設計では、時間および周波数ダイバーシティを達成するために、肯定応答を異なるタイルの異なるサブタイル上で送信する。たとえば、肯定応答を第１のタイルのサブタイル１上、第２のタイルのサブタイル２上、第３のタイルのサブタイル３上、および第４のタイルのサブタイル４上で送信する。４つのタイルは、８つのシンボル周期をカバーしている同じフレームの中にある。副搬送波の異なるセットを占有している４つの異なるタイル上で肯定応答を送信することは、周波数ダイバーシティを向上させる。肯定応答を４つの異なるサブタイル上で送信することは、時間ダイバーシティ、ならびにカバレージの端に位置する端末用のリンク配分を向上させる。端末は送信電力に上限を設けることができ、より長い期間にわたって拡散されるより多くのエネルギーを用いて肯定応答を送信することが可能であり、このことは肯定応答の受信を向上させる。一般に、肯定応答は、Ｃ位(C-th order)のダイバーシティを達成するために、Ｃ個の異なるタイルのＣ個のサブタイル上で送信される。ここで、Ｃ≧１である。
【００４１】
基地局は、端末によって送信される肯定応答を回復するために相補的逆拡散(complementary dispreading)を実行する。Ｃ個の異なるサブタイル上の端末によって送信された肯定応答を回復するために、基地局は、Ｃ個のサブタイルに対するＣ個の逆拡散シンボルを得るために、端末によって使用される拡散符号でＣ個のサブタイルの各々に対して受信シンボルを逆拡散する。Ｃ個のサブタイルの各々に対して、基地局はまた、肯定応答を送信するために使用されない拡散符号の各々を用いて受信シンボルを逆拡散し、そのサブタイルに対する干渉推定値を得る。基地局は、端末に対する検出された肯定応答を得るために、Ｃ個のサブタイルに対する干渉推定値を用いてＣ個の逆拡散シンボルを基準化(scale)および結合する。
【００４２】
上記の設計では、ハーフタイルを４つのサブタイルに分割し、ＣＤＭを使用して肯定応答を１組のサブタイル上で送信する。ハーフタイルは他の方法で分割することもできる。別の設計では、各サブタイルは、２つの副搬送波をカバーし、８つのすべてのシンボル周期にわたる。さらに別の設計では、各サブタイルは、ハーフタイルの異なるシンボル周期において異なる副搬送波を含む。一般に、肯定応答は、ＣＤＭ、ＴＤＭ、ＦＤＭなどを使用してサブタイル上で送信される。
【００４３】
複数の端末は、基地局からの個々の割当てメッセージを受信し、これらのメッセージに対する肯定応答を、単一のハーフタイルのＡＣＫリソース上で送信する。端末のグループは、また、そのグループのすべての端末に適用可能なグループ割当てメッセージを受信する。これらの端末は、このグループ割当てメッセージに対する肯定応答を、単一のハーフタイル上で送信する。
【００４４】
ある設計では、端末にリソースを割り当てるためにチャネルツリーが使用される。チャネルツリーは、リソースの割当てを、利用可能リソースのすべての可能な組み合わせのサブセットに限定する。これにより、割当てメッセージを送信するためのオーバヘッドの量が低減する。
【００４５】
図５は、３２個の副搬送波セットが使用可能である場合の、バイナリチャネルツリー５００の設計を示す。３２個の副搬送波セットを用いて、１組のデータチャネルが定義される。各データチャネルは、固有のチャネルＩＤを割り当てられ、各時間間隔において１つまたは複数の副搬送波セットにマッピングされる。ある設計では、チャネルツリー５００の各ノードに対してデータチャネルが定義される。データチャネルは、図５に示すように、各層に対して、上から下に、左から右に順番に番号付けされる。最上位ノードに対応する最大のデータチャネルは０のチャネルＩＤを割り当てられ、３２個の副搬送波セットのすべてにマッピングされる。最下位層１の３２個のデータチャネルは、３１から６２のチャネルＩＤを有し、ベースチャネルまたはベースノードと呼ばれる。各ベースチャネルは、１つの副搬送波セットにマッピングされる。
【００４６】
図５に示すツリー構造は、データチャネルの使用について、ある種の制約を課す。割り当てられた各データチャネルに対して、割当てチャネルのサブセット（または子孫）であるすべてのデータチャネル、および割当てチャネルがそれに対してサブセットであるすべてのデータチャネルが制約される。制約されたチャネルは、割当てチャネルと同時には使用されず、その結果として、２つのデータチャネルが同一の副搬送波セットを同時に使用することはない。
【００４７】
ある設計では、ＡＣＫリソースは、使用のために割り当てられる各データチャネルに対して割り当てられ、端末に伝達される。ＡＣＫリソースは、各ＡＣＫフレームにおいて肯定応答を送信するために使用される関係リソース（たとえば、拡散符号およびサブタイル）を含む。この設計では、各データチャネルに対する肯定応答は、データチャネルに関連付けられたＡＣＫリソース上で送信される。
【００４８】
別の設計では、ＡＣＫリソースはチャネルツリーの各ベースチャネル／ノードに関連付けられる。より大きいデータチャネルは、（ｉ）より大きいデータチャネルの下のすべてのベースチャネルに対するＡＣＫリソース、（ｉｉ）ベースチャネルの１つ、たとえば最下位チャネルＩＤを有するベースチャネルに対するＡＣＫリソース、または（ｉｉｉ）ベースチャネルのサブセットに対するＡＣＫリソースを使用する。上記の選択肢（ｉ）および（ｉｉｉ）の場合、信頼性を向上させるために、より大きいデータチャネルに対する肯定応答は、より多くのＡＣＫリソースを使用して送信される。
【００４９】
さらに別の設計では、ＡＣＫリソースは、肯定応答すべき各データパケットに割り当てられる。たとえば多入力多出力（ＭＩＭＯ）伝送において複数のデータパケットを並列で送信する場合、多重ベースチャネルをもつより大きいデータチャネルが伝送用に割り当てられる。ベースチャネルの数はデータパケットの数に等しいかまたはそれ以上であり、各データパケットが異なるベースチャネルにマッピングされる。次いで、関連付けられたベースチャネルに対するＡＣＫリソースを使用して、各データパケットに対する肯定応答が送信される。
【００５０】
ある設計では、肯定応答を逆方向リンク上でデータ伝送の一部として送信する場合、割当てメッセージに対する肯定応答は、設計されたチャネルＩＤ（たとえば、未使用チャネルの最も高いチャネルＩＤ）に対するＡＣＫリソースを使用して送信される。たとえば、割当てメッセージが端末にチャネルＩＤ１５（チャネルＩＤ３１および３２を含む）を割り当てる場合、割当てメッセージに対する肯定応答はチャネルＩＤ３２に対するＡＣＫリソースを使用して送信される。この設計では、肯定応答が受信されたチャネルＩＤに基づいて、何が肯定応答されているかを基地局が判定することが可能である。
【００５１】
ある設計では、割り当てられた順方向リンクリソースに関連付けられた充分なＡＣＫリソースが、肯定応答を送信するために利用可能である場合、割当てメッセージに対する肯定応答が送信される。たとえば、ＡＣＫリソースは、チャネルツリー中の各ベースノードに関連付けられる。ＡＣＫリソースは、端末が１つのベースノードのみを割り当てられる場合、制御メッセージに肯定応答するために利用可能でなく、端末が２つ以上のベースノードを割り当てられる場合、利用可能である。
【００５２】
端末は、同時またはほぼ同時に、割当てメッセージおよび１つまたは複数のデータパケットを受信する。割当てメッセージに肯定応答するためにＡＣＫリソースが利用可能でない場合、端末は（１つまたは複数の）データパケットに対してのみ肯定応答を送信する。このことは、たとえば、未使用チャネルがない場合、肯定応答すべきデータパケットの数が、端末に対して利用可能なＡＣＫリソースの数に等しい場合などに当てはまる。（１つまたは複数の）データパケットが、割当てメッセージによって割り当てられた順方向リンクリソース上で送信され、正しく復号される場合、端末は（１つまたは複数の）データパケットに対してのみ肯定応答を送信する。基地局は、（１つまたは複数の）データパケットに対して受信された肯定応答に基づいて、割当てメッセージが端末によって正しく受信されることを推測する。端末はまた、端末のリンク配分または電力が制限されている場合、データパケットに対してのみ肯定応答を送信する。
【００５３】
図６は、端末によって割当てメッセージに肯定応答するためのプロセス６００の設計を示す。基地局から端末に対する割当てメッセージを受信する（ブロック６１２）。割当てメッセージに肯定応答すべきかどうかを判定する（ブロック６１４）。ブロック６１４での判定は、たとえば割当てメッセージが受信された制御ブロック、割当てメッセージのタイプ、少なくとも１つのデータパケットに肯定応答すべきかどうか、肯定応答を送信するために端末に対して利用可能なＡＣＫリソースの量など、様々な要因に基づく。たとえば、肯定応答は、肯定応答を送信すべき制御ブロックのグループ内の制御ブロック上で割当てメッセージが受信された場合に送信される。別の例として、肯定応答は、割当てメッセージがあるタイプ（たとえば、新規割当て）であり、他のタイプ（たとえば、増分または減分）でない場合に送信される。さらに別の例として、肯定応答は、割当てメッセージによって割り当てられるリソースの量に依存し、充分なＡＣＫリソースが利用可能な場合に送信される。
【００５４】
割当てメッセージに肯定応答すべき場合（ブロック６１４で「はい」）、割当てメッセージに肯定応答するために使用すべきＡＣＫリソースを決定する（ブロック６１６）。ある設計では、たとえば図２Ａに示すように、ＡＣＫリソースは、割当てメッセージが受信された制御ブロックにリンクされる。別の設計では、たとえば図２Ｂに示すように、ＡＣＫリソースは、割当てメッセージによって割り当てられたリソースにリンクされる。さらに別の設計では、たとえば図２Ｃに示すように、ＡＣＫリソースは端末に割り当てられる。いずれの場合も、割当てメッセージに対する肯定応答はＡＣＫリソース上で送信される（ブロック６１８）。肯定応答は、ダイバーシティを達成するために時間および／または周波数にわたって送信される。
【００５５】
図７は、割当てメッセージに肯定応答するための装置７００の設計を示す。装置７００は、基地局から端末に対する割当てメッセージを受信するための手段（モジュール７１２）と、割当てメッセージに肯定応答すべきかどうかを判定するための手段（モジュール７１４）と、割当てメッセージに肯定応答すべき場合、割当てメッセージに肯定応答するために使用すべきＡＣＫリソースを決定するための手段（モジュール７１６）と、ＡＣＫリソース上で割当てメッセージに対する肯定応答を送信するための手段（モジュール７１８）とを含む。
【００５６】
図８は、基地局によって割当てメッセージを送信するためのプロセス８００の設計を示す。割当てメッセージが端末に送信される（ブロック８１２）。肯定応答を送信するために、指定されたＡＣＫリソース上で、割当てメッセージに対する肯定応答が受信される（ブロック８１４）。ＡＣＫリソースは、割当てメッセージを送信するために使用される制御ブロックにリンクされ、割当てメッセージによって割り当てられたリソースにリンクされ、または端末に割り当てられる。
【００５７】
図９は、割当てメッセージを送信するための装置９００の設計を示す。装置９００は、端末に割当てメッセージを送信するための手段（モジュール９１２）と、肯定応答を送信するために指定されたＡＣＫリソース上で割当てメッセージに対する肯定応答を受信するための手段（モジュール９１４）とを含む。
【００５８】
図１０は、端末によって制御メッセージに肯定応答するためのプロセス１０００の設計を示す。制御メッセージは制御ブロック上で受信される（ブロック１０１２）。制御メッセージまたは制御ブロックに基づいてＡＣＫリソースが決定される（ブロック１０１４）。ある設計では、ＡＣＫリソースは制御ブロックにリンクされる。別の設計では、制御メッセージは、端末にリソースを割り当てる割当てメッセージであり、ＡＣＫリソースは、割り当てられたリソースにリンクされる。ＡＣＫリソースは他の方法で決定することもできる。制御メッセージに対する肯定応答が、ＡＣＫリソース上で送信される（ブロック１０１６）。
【００５９】
肯定応答は様々な基準に基づいて送信される。ある設計では、肯定応答は、いくつかの制御ブロック、たとえばＡＣＫリソースにリンクされた制御ブロックに対して送信される。たとえば、端末は、肯定応答すべき制御メッセージを送信するために基地局によって使用される少なくとも１つの第１の（たとえば、共通の）制御ブロックを監視する。端末は、少なくとも１つの第１の制御ブロック上で受信された制御メッセージに対する肯定応答を送信する。端末は、肯定応答すべきでない制御メッセージを送信するために基地局によって使用される少なくとも１つの第２の（たとえば、共有の）制御ブロックを監視する。端末は、少なくとも１つの第２の制御ブロック上で受信された制御メッセージに対する肯定応答を送信しない。別の設計では、端末は、（ｉ）たとえば、割当てメッセージ用であるが、アクセス許可メッセージ用ではない、あるタイプの制御メッセージ、または（ｉｉ）あるタイプの割当てメッセージに対する肯定応答、を送信する。端末は他の基準に基づいて肯定応答を送信することもできる。
【００６０】
図１１は、制御メッセージに肯定応答するための装置１１００の設計を示す。装置１１００は、制御ブロック上で制御メッセージを受信するための手段（モジュール１１１２）と、制御メッセージまたは制御ブロックに基づいてＡＣＫリソースを決定するための手段（モジュール１１１４）と、ＡＣＫリソース上で制御メッセージに対する肯定応答を送信するための手段（モジュール１１１６）とを含む。
【００６１】
図１２は、基地局によって制御メッセージを送信するためのプロセス１２００の設計を示す。制御ブロック上で制御メッセージが送信される（ブロック１２１２）。制御メッセージに対する肯定応答は、制御メッセージまたは制御ブロックに基づいて決定されたＡＣＫリソース上で受信される（ブロック１２１４）。
【００６２】
図１３は、制御メッセージを送信するための装置１３００の設計を示す。装置１３００は、制御ブロック上で制御メッセージを送信するための手段（モジュール１３１２）と、制御メッセージまたは制御ブロックに基づいて決定されたＡＣＫリソース上で、制御メッセージに対する肯定応答を受信するための手段（モジュール１３１４）とを含む。
【００６３】
図７、図９、図１１、および図１３のモジュールは、プロセッサ、電子デバイス、ハードウェアデバイス、電子構成要素、論理回路、メモリなど、またはそれらの任意の組合せを備えることができる。
【００６４】
図１４は、図１の基地局の１つおよび端末の１つである、基地局１１０および端末１２０の設計のブロック図を示す。この設計では、基地局１１０および端末１２０は、それぞれ単一のアンテナを装備している。
【００６５】
基地局１１０において、送信（ＴＸ）データおよびシグナリングプロセッサ１４１０は、１つまたは複数の端末に対するトラフィックデータを受信し、その端末に対して選択された１つまたは複数のパケットフォーマットに基づいて各端末に対するトラフィックデータを処理（たとえば、符号化、インタリーブ、およびシンボルマッピング）し、データシンボルを与える。またプロセッサ１４１０は、制御メッセージ（たとえば、割当てメッセージ）を処理し、シグナリングシンボルを与える。またプロセッサ１４１０は、パイロットシンボルを生成する。変調器１４１２は（たとえば、ＯＦＤＭ、ＣＤＭ、ＳＣ−ＦＤＭなどの）データシンボル、シグナリングシンボル、およびパイロットシンボルに変調を実行し、出力チップを与える。送信機（ＴＭＴＲ）１４１４は出力チップを調整（たとえば、アナログ変換、フィルタリング、増幅および、アップコンバート）し、アンテナ１４１６を介して送信可能な順方向リンク信号を生成する。
【００６６】
端末１２０において、アンテナ１４５２は、基地局１１０、および場合によっては他の基地局から順方向リンク信号を受信し、受信信号を受信器（ＲＣＶＲ）１４５４に供給する。受信器１４５４は受信信号を調整およびデジタル化し、受信サンプルを与える。復調器（Ｄｅｍｏｄ）１４５６は（たとえば、ＯＦＤＭ、ＣＤＭ、ＳＣ−ＦＤＭなどの）受信サンプルに復調を実行し、受信シンボルを与える。受信（ＲＸ）データおよびシグナリングプロセッサ１４５８は受信シンボルを処理（たとえば、シンボルデマッピング、デインタリーブ、および復号）し、端末１２０に対する復号データおよび制御メッセージを与える。
【００６７】
コントローラ／プロセッサ１４７０はプロセッサ１４５８から復号結果を受信し、データパケット、制御メッセージなどに対する肯定応答を生成する。ＴＸデータおよびシグナリングプロセッサ１４６０は、データシンボルを得るために基地局１１０に送信するトラフィックデータを処理し、シグナリングシンボルを得るために肯定応答および／または他の制御情報を処理し、パイロットシンボルを生成する。変調器１４６２はデータシンボル、シグナリングシンボル、およびパイロットシンボルに変調を実行し、出力チップを与える。送信機１４６４は出力チップを調整し、アンテナ１４５２を介して送信可能な逆方向リンク信号を生成する。
【００６８】
基地局１１０において、端末１２０および他の端末からの逆方向リンク信号はアンテナ１４１６によって受信され、受信器１４２０によって調整およびデジタル化され、復調器１４２２によって復調され、ＲＸデータおよびシグナリングプロセッサ１４２４によって処理されて、端末１２０および他の端末によって送信されるトラフィックデータ、肯定応答、および／または他の制御情報を回復する。コントローラ／プロセッサ１４３０は肯定応答を受信して、端末装置への順方向リンク上でのデータ伝送を制御する。
【００６９】
コントローラ／プロセッサ１４３０および１４７０は、それぞれ基地局１１０および端末１２０における動作を指示する。メモリ１４３２および１４７２は、それぞれ基地局１１０および端末１２０ためのプログラムコードおよびデータを記憶する。
【００７０】
本明細書に記載のチャネルの概念は、端末または基地局によって伝送可能な情報または伝送のタイプを指す。その概念は副搬送波、時間周期、またはそのような伝送に専用の他のリソースの固定または所定のセットを要求または利用しない。さらに、時間周波数リソースは、データおよびメッセージの送信／シグナリングに対して割り当て可能な、および／またはそれらに使用可能な例示的リソースである。また、時間周波数リソースは周波数副搬送波、伝送シンボル、および／または他のリソースを時間周波数リソースに加えて備えることができる。
【００７１】
本明細書に記載の技法は様々な手段によって実施できる。たとえば、これらの技法はハードウェア、ファームウェア、ソフトウェア、またはそれらの組合せで実施できる。ハードウェア実装では、エンティティ（たとえば、端末または基地局）における処理装置は、１つまたは複数の特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、電子デバイス、本明細書に記載の機能を実行するように設計された他の電子装置、コンピュータ、またはそれらの組合せの内部に実装できる。
【００７２】
ファームウェアおよび／またはソフトウェア実装では、この技法は、本明細書に記載の機能を実行するコード（たとえば、プロシージャ、関数、モジュール、命令など）を用いて実施できる。一般に、ファームウェアおよび／またはソフトウェアコードを有形に備える任意のコンピュータ／プロセッサ可読媒体が本明細書に記載の技法の実施に使用できる。たとえば、ファームウェアおよび／またはソフトウェアコードは、メモリ（たとえば、図１４のメモリ１４３２または１４７２）に記憶し、プロセッサ（たとえば、プロセッサ１４３０または１４７０）によって実行することができる。メモリはプロセッサの内部またはプロセッサの外部に実装できる。ファームウェアおよび／またはソフトウェアコードは、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、電気的消去可能ＰＲＯＭ（ＥＥＰＲＯＭ）、フラッシュメモリ、フロッピー（登録商標）ディスク、コンパクトディスク（ＣＤ）、デジタル多用途ディスク（ＤＶＤ）、磁気または光学データ記憶装置などのコンピュータ／プロセッサ可読媒体に記憶できる。コードは１つまたは複数のコンピュータ／プロセッサによって実行可能であり、本明細書に記載の機能性のいくつかの態様を（１つまたは複数の）コンピュータ／プロセッサに実行させることができる。
【００７３】
本開示についての前述の説明は、当業者が本開示を実施または使用することができるようにするために提供される。本開示に対する様々な変更は当業者には容易に明らかであり、本明細書において定義された包括的な原理は、本開示の精神または範囲を逸脱することなく他の変形形態に適用可能である。したがって、本開示は本明細書に記載の実施例および設計に限定されるものではなく、本明細書で開示される原理および新規な特徴と合致する最も広い範囲が与えられるべきである。
【図１】
2010512122.tif 000005
【図２Ａ】
2010512122.tif 000006
【図２Ｂ】
2010512122.tif 000007
【図２Ｃ】
2010512122.tif 000008
【図３】
2010512122.tif 000009
【図４】
2010512122.tif 000010
【図５】
2010512122.tif 000011
【図６】
2010512122.tif 000012
【図７】
2010512122.tif 000013
【図８】
2010512122.tif 000014
【図９】
2010512122.tif 000015
【図１０】
2010512122.tif 000016
【図１１】
2010512122.tif 000017
【図１２】
2010512122.tif 000018
【図１３】
2010512122.tif 000019
【図１４】
2010512122.tif 000020
【国際調査報告】
2010512122.tif 000021
2010512122.tif 000022
2010512122.tif 000023